(57)【要約】  本明細書で説明される様々な態様は、共用アンテナにおいてアナログ干渉キャンセルを提供することに関する。複数の信号は、共用アンテナの送信機チェーン中の複数の基準点において取得され得る。キャンセル信号を生成するための複数の基準点のうちの少なくとも１つの基準点および／またはキャンセル信号を注入するための少なくとも１つの注入点は、複数の基準点の各々および／または少なくとも１つの注入点に関連する予期されるアナログ干渉キャンセルメトリックに少なくとも部分的に基づいて選択され得る。キャンセル信号は、少なくとも１つの基準点および／または注入点に少なくとも部分的に基づいて生成され得る。キャンセル信号は、共用アンテナの送信機チェーンで生成された信号からの干渉をキャンセルするために、共用アンテナの受信機チェーンにおいて注入点に注入される。
2018529282.tif 000002
【特許請求の範囲】
【請求項１】
共用アンテナにおいてアナログ干渉キャンセルを提供するための方法であって、
共用アンテナの送信機チェーン中の複数の基準点において複数の信号を取得することと、
キャンセル信号を生成するための前記複数の基準点のうちの少なくとも１つの基準点および／または前記キャンセル信号を注入するための少なくとも１つの注入点を、前記複数の基準点の各々および／または前記少なくとも１つの注入点に関連する予期されるアナログ干渉キャンセルメトリックに少なくとも部分的に基づいて選択することと、
前記少なくとも１つの基準点および／または前記少なくとも１つの注入点に少なくとも部分的に基づいて、前記キャンセル信号を生成することと、
前記共用アンテナの前記送信機チェーンで生成された信号からの干渉をキャンセルするために、前記共用アンテナの受信機チェーンにおいて前記少なくとも１つの注入点に前記キャンセル信号を注入することと
を備える、方法。
【請求項２】
前記複数の基準点は、前記送信機チェーン中の電力増幅器の出力からの第１の基準点、前記送信機チェーン中のフィルタコンポーネントの出力からの第２の基準点、前記送信機チェーン中のダイプレクサの入力、出力、または１つ以上の段における第３の基準点のうちの少なくとも１つに対応する、請求項１に記載の方法。
【請求項３】
前記少なくとも１つの注入点は、前記受信機チェーン中の低雑音増幅器（ＬＮＡ）、またはフィルタコンポーネントへの入力を含む、請求項１に記載の方法。
【請求項４】
前記少なくとも１つの注入点は、前記ＬＮＡの入力、前記ＬＮＡの出力、前記ＬＮＡの１つ以上の段のうちの少なくとも１つを含む、請求項３に記載の方法。
【請求項５】
前記予期されるアナログ干渉キャンセルメトリックは、前記複数の基準点の各々および／または前記少なくとも１つの注入点についての予期されるアナログ干渉キャンセル利得に対応し、前記少なくとも１つの基準点および／または前記少なくとも１つの注入点を選択することは、前記複数の基準点と前記少なくとも１つの注入点の複数のペアの各々についての予期されるアナログ干渉キャンセル利得を、最も高い予期されるアナログ干渉キャンセル利得を有するような前記複数のペアのうちの前記少なくとも１つを決定するために比較することを備える、請求項１に記載の方法。
【請求項６】
前記複数のペアの各々に関連する複数の整合コンポーネントを決定することをさらに備え、前記少なくとも１つの基準点および／または前記少なくとも１つの注入点を選択することは、
前記複数のペアのうちの、ある特定の対応する整合コンポーネントを有する前記複数の信号に関連する前記複数の基準点のサブセットを決定することと、
前記最も高い予期されるアナログ干渉キャンセル利得を有する前記複数のペアの前記サブセットから、前記少なくとも１つの基準点および／または前記少なくとも１つの注入点を選択することと
を備える、請求項５に記載の方法。
【請求項７】
前記予期されるアナログ干渉キャンセルメトリックは、前記複数の基準点の各々および／または前記少なくとも１つの注入点についての予期されるアナログ干渉キャンセルコストに対応し、前記少なくとも１つの基準点および／または前記少なくとも１つの注入点を選択することは、前記複数の基準点と前記少なくとも１つの注入点の複数のペアの各々についての予期されるアナログ干渉キャンセルコストを、最も低い予期されるアナログ干渉キャンセルコストを有するような前記複数のペアのうちの前記少なくとも１つを決定するために比較することを備える、請求項１に記載の方法。
【請求項８】
前記複数のペアの各々のための複数の整合コンポーネントを決定することをさらに備え、前記少なくとも１つの基準点および／または前記少なくとも１つの注入点を選択することは、
前記複数のペアのうちの、ある特定の対応する整合コンポーネントを有する前記複数の信号に関連する前記複数の基準点のサブセットを決定することと、
前記最も低い予期されるアナログ干渉キャンセルコストを有する前記複数のペアの前記サブセットから、前記少なくとも１つの基準点および／または前記少なくとも１つの注入点を選択することと
を備える、請求項７に記載の方法。
【請求項９】
前記複数の基準点の各々および／または前記少なくとも１つの注入点についての前記予期されるアナログ干渉キャンセルメトリックを同時に決定することをさらに備える、請求項１に記載の方法。
【請求項１０】
前記受信機チェーン中の前記キャンセル信号のために、前記受信機チェーン中の前記少なくとも１つの注入点を選択することをさらに備える、請求項１に記載の方法。
【請求項１１】
共用アンテナにおいてアナログ干渉キャンセルを提供するための装置であって、
送信機チェーンと受信機チェーンとの間で共用されるアンテナと、
バスを介して前記送信機チェーンおよび前記受信機チェーンと通信可能に結合された少なくとも１つのプロセッサと、
前記送信機チェーン、前記受信機チェーン、および前記少なくとも１つのプロセッサを、前記バスを介して通信可能に結合されたメモリと
を備え、
前記少なくとも１つのプロセッサおよび前記メモリは、
共用アンテナの前記送信機チェーン中の複数の基準点において複数の信号を取得することと、
キャンセル信号を生成するための前記複数の基準点のうちの少なくとも１つの基準点および／または前記キャンセル信号を注入するための少なくとも１つの注入点を、前記複数の基準点の各々および／または前記少なくとも１つの注入点に関連する予期されるアナログ干渉キャンセルメトリックに少なくとも部分的に基づいて選択することと、
前記少なくとも１つの基準点および／または前記少なくとも１つの注入点に少なくとも部分的に基づいて、前記キャンセル信号を生成することと、
前記共用アンテナの前記送信機チェーンで生成された信号からの干渉をキャンセルするために、前記共用アンテナの前記受信機チェーンにおいて前記少なくとも１つの注入点に前記キャンセル信号を注入することと
を行うように動作可能である、装置。
【請求項１２】
前記送信機チェーンは、
ダイプレクサと、
フィルタコンポーネントと
電力増幅器と
を備え、
前記複数の基準点は、前記電力増幅器の出力からの第１の基準点、前記フィルタコンポーネントの出力からの第２の基準点、前記ダイプレクサの入力、出力、または１つ以上の段における第３の基準点のうちの少なくとも１つに対応する、請求項１１に記載の装置。
【請求項１３】
前記少なくとも１つの注入点は、低雑音増幅器（ＬＮＡ）、またはフィルタコンポーネントへの入力を含む、請求項１１に記載の装置。
【請求項１４】
前記少なくとも１つの注入点は、前記ＬＮＡの入力、前記ＬＮＡの出力、または前記ＬＮＡの１つ以上の段のうちの少なくとも１つを含む、請求項１３に記載の装置。
【請求項１５】
前記予期されるアナログ干渉キャンセルメトリックは、前記複数の基準点の各々および／または前記少なくとも１つの注入点についての予期されるアナログ干渉キャンセル利得に対応し、前記少なくとも１つのプロセッサおよびメモリは、前記複数の基準点と前記少なくとも１つの注入点の複数のペアの各々についての予期されるアナログ干渉キャンセル利得を、最も高い予期されるアナログ干渉キャンセル利得を有するような前記複数のペアのうちの前記少なくとも１つを決定するために比較することによって、前記少なくとも１つの基準点および／または前記少なくとも１つの注入点を選択するようにさらに動作可能である、請求項１１に記載の装置。
【請求項１６】
前記少なくとも１つのプロセッサおよび前記メモリは、
前記複数のペアのうちの、ある特定の対応する整合コンポーネントを有する前記複数の信号に関連する前記複数の基準点のサブセットを決定することと、
前記最も高い予期されるアナログ干渉キャンセル利得を有する前記複数のペアの前記サブセットから、前記少なくとも１つの基準点および／または前記少なくとも１つの注入点を選択することと
によって、前記複数のペアの各々に関連する複数の整合コンポーネントを決定することと、前記少なくとも１つの基準点および／または前記少なくとも１つの注入点を選択することとを行うようにさらに動作可能である、請求項１５に記載の装置。
【請求項１７】
前記予期されるアナログ干渉キャンセルメトリックは、前記複数の基準点の各々および／または前記少なくとも１つの注入点についての予期されるアナログ干渉キャンセルコストに対応し、前記少なくとも１つのプロセッサおよび前記メモリは、前記複数の基準点および／または前記少なくとも１つの注入点の複数のペアの各々についての予期されるアナログ干渉キャンセルコストを、最も低い予期されるアナログ干渉キャンセルコストを有するような前記複数のペアのうちの前記少なくとも１つを決定するために比較することによって、前記少なくとも１つの基準点および／または前記少なくとも１つの注入点を選択するようにさらに動作可能である、請求項１１に記載の装置。
【請求項１８】
前記少なくとも１つのプロセッサおよび前記メモリは、
前記複数のペアのうちの、ある特定の対応する整合コンポーネントを有する前記複数の信号に関連する前記複数の基準点のサブセットを決定することと、
前記最も低い予期されるアナログ干渉キャンセルコストを有する前記複数のペアの前記サブセットから、前記少なくとも１つの基準点および／または前記少なくとも１つの注入点を選択することと
によって、前記複数のペアの各々のための複数の整合コンポーネントを決定することと、前記少なくとも１つの基準点および／または前記少なくとも１つの注入点を選択することとを行うようにさらに動作可能である、請求項１７に記載の装置。
【請求項１９】
前記少なくとも１つのプロセッサおよび前記メモリは、前記複数の基準点の各々および／または前記少なくとも１つの注入点についての前記予期されるアナログ干渉キャンセルメトリックを同時に決定するようにさらに動作可能である、請求項１１に記載の装置。
【請求項２０】
前記少なくとも１つのプロセッサおよび前記メモリは、前記受信機チェーン中の前記キャンセル信号のために、前記受信機チェーン中の前記少なくとも１つの注入点を選択するようにさらに動作可能である、請求項１１に記載の装置。
【請求項２１】
共用アンテナにおいてアナログ干渉キャンセルを提供するための装置であって、
共用アンテナの送信機チェーン中の複数の基準点において複数の信号を取得するための手段と、
キャンセル信号を生成するための前記複数の基準点のうちの少なくとも１つの基準点および／または前記キャンセル信号を注入するための少なくとも１つの注入点を、前記複数の基準点の各々および／または前記少なくとも１つの注入点に関連する予期されるアナログ干渉キャンセルメトリックに少なくとも部分的に基づいて選択するための手段と、
前記少なくとも１つの基準点および／または前記少なくとも１つの注入点に少なくとも部分的に基づいて、前記キャンセル信号を生成するための手段と、
前記共用アンテナの前記送信機チェーンで生成された信号からの干渉をキャンセルするために、前記共用アンテナの受信機チェーンにおいて前記少なくとも１つの注入点に前記キャンセル信号を注入するための手段と
を備える、装置。
【請求項２２】
前記複数の基準点は、前記送信機チェーン中の電力増幅器の出力からの第１の基準点、前記送信機チェーン中のフィルタコンポーネントの出力からの第２の基準点、前記送信機チェーン中のダイプレクサの入力、出力、または１つ以上の段における第３の基準点のうちの少なくとも１つに対応する、請求項２１に記載の装置。
【請求項２３】
前記少なくとも１つの注入点は、前記受信機チェーン中の低雑音増幅器（ＬＮＡ）、またはフィルタコンポーネントへの入力を含む、請求項２１に記載の装置。
【請求項２４】
前記予期されるアナログ干渉キャンセルメトリックは、前記複数の基準点の各々および／または前記少なくとも１つの注入点についての予期されるアナログ干渉キャンセル利得に対応し、選択するための手段は、前記複数の基準点および／または前記少なくとも１つの注入点の複数のペアの各々についての予期されるアナログ干渉キャンセル利得を、最も高い予期されるアナログ干渉キャンセル利得を有するような前記複数のペアのうちの前記少なくとも１つを決定するために比較することによって、前記少なくとも１つの基準点および／または前記少なくとも１つの注入点を選択する、請求項２１に記載の装置。
【請求項２５】
前記予期されるアナログ干渉キャンセルメトリックは、前記複数の基準点の各々および／または前記少なくとも１つの注入点についての予期されるアナログ干渉キャンセルコストに対応し、選択するための手段は、前記複数の基準点および／または前記少なくとも１つの注入点の複数のペアの各々についての予期されるアナログ干渉キャンセルコストを、最も低い予期されるアナログ干渉キャンセルコストを有するような前記複数のペアのうちの前記少なくとも１つを決定するために比較することによって、前記少なくとも１つの基準点および／または前記少なくとも１つの注入点を選択する、請求項２１に記載の装置。
【請求項２６】
共用アンテナにおいてアナログ干渉キャンセルを提供するために、コンピュータによって実行可能なコードを記憶するコンピュータ可読媒体であって、前記コードは、
共用アンテナの送信機チェーン中の複数の基準点において複数の信号を取得するためのコードと、
キャンセル信号を生成するための前記複数の基準点のうちの少なくとも１つの基準点および／または前記キャンセル信号を注入するための少なくとも１つの注入点を、前記複数の基準点の各々および／または前記少なくとも１つの注入点に関連する予期されるアナログ干渉キャンセルメトリックに少なくとも部分的に基づいて選択するためのコードと、
前記少なくとも１つの基準点および／または前記少なくとも１つの注入点に少なくとも部分的に基づいて、前記キャンセル信号を生成するためのコードと、
前記共用アンテナの前記送信機チェーンで生成された信号からの干渉をキャンセルするために、前記共用アンテナの受信機チェーンにおいて前記少なくとも１つの注入点に前記キャンセル信号を注入するためのコードと
を備える、コンピュータ可読媒体。
【請求項２７】
前記複数の基準点は、前記送信機チェーン中の電力増幅器の出力からの第１の基準点、前記送信機チェーン中のフィルタコンポーネントの出力からの第２の基準点、前記送信機チェーン中のダイプレクサの入力、出力、または１つ以上の段における第３の基準点のうちの少なくとも１つに対応する、請求項２６に記載のコンピュータ可読媒体。
【請求項２８】
前記少なくとも１つの注入点は、前記受信機チェーン中の低雑音増幅器（ＬＮＡ）、またはフィルタコンポーネントへの入力を含む、請求項２６に記載のコンピュータ可読媒体。
【請求項２９】
前記予期されるアナログ干渉キャンセルメトリックは、前記複数の基準点の各々および／または前記少なくとも１つの注入点についての予期されるアナログ干渉キャンセル利得に対応し、選択するためのコードは、前記複数の基準点および／または前記少なくとも１つの注入点の複数のペアの各々についての予期されるアナログ干渉キャンセル利得を、最も高い予期されるアナログ干渉キャンセル利得を有するような前記複数のペアのうちの前記少なくとも１つを決定するために比較することによって、前記少なくとも１つの基準点および／または前記少なくとも１つの注入点を選択する、請求項２６に記載のコンピュータ可読媒体。
【請求項３０】
前記予期されるアナログ干渉キャンセルメトリックは、前記複数の基準点の各々および／または前記少なくとも１つの注入点についての予期されるアナログ干渉キャンセルコストに対応し、選択するためのコードは、前記複数の基準点および／または前記少なくとも１つの注入点の複数のペアの各々についての予期されるアナログ干渉キャンセルコストを、最も低い予期されるアナログ干渉キャンセルコストを有するような前記複数のペアのうちの前記少なくとも１つを決定するために比較することによって、前記少なくとも１つの基準点および／または前記少なくとも１つの注入点を選択する、請求項２６に記載のコンピュータ可読媒体。
【発明の詳細な説明】
【関連出願の相互参照】
【０００１】
[0001]  本特許出願は、２０１５年８月２７日に出願され、「Analog Interference Cancelation for Shared Antennas」と題された、米国非仮特許出願第１４／８３８，２２６号の優先権を主張し、これは、本出願の譲受人に譲渡され、参照によって本明細書に明示的に組み込まれている。
【背景技術】
【０００２】
[0002]  ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００３】
[0003]  これらの多元接続技術は、異なるワイヤレスデバイスが、都市、国家、地域、さらには地球規模で通信することを可能にする共通プロトコルを提供するために、様々な電気通信規格で採用されている。新興の電気通信規格の例が、ロングタームエボリューション（ＬＴＥ（登録商標））である。ＬＴＥは、第３世代パートナーシッププロジェクト（３ＧＰＰ（登録商標））によって発表されたユニバーサルモバイル電気通信システム（ＵＭＴＳ）のモバイル規格の拡張セットである。一般に、ワイヤレス多元接続通信システムは、複数のワイヤレス端末（例えば、ユーザ機器（ＵＥ））のための通信を同時にサポートすることができ、それらの各々は、ダウンリンクまたはアップリンクリソースを通じて１つ以上の基地局と通信することができる。
【０００４】
[0004]  いくつかのＬＴＥ（または他のワイヤレス通信技術）構成では、アップリンクキャリアアグリゲーションは、ＵＥと基地局との間の複数のキャリアにわたる通信を可能にするように提供される。ＵＥは、複数のアップリンクキャリアを通じて送信（および複数のダウンリンクキャリアを通じて受信）するために、複数の無線周波数（ＲＦ）チェーンとの共用アンテナをＲＦフロントエンドにおいて利用し得る。共用アンテナを利用し得るＲＦフロントエンドにおける１つ以上の送信機チェーンからの送信は、共用アンテナを通じた信号を受信する受信機チェーンへの自己干渉を引き起こし得る。自己干渉は、共用アンテナ構成において送信機チェーン（例えば、攻撃側ＲＦパス（aggressor RF path））から受信機チェーン（例えば、被害側ＲＦパス（victim RF path））への信号の帯域外（ＯＯＢ：out-of-band）輻射または相互変調（ＩＭＤ：inter-modulation）の形式をとり得る。ＯＯＢ輻射またはＩＭＤは、被害側受信機の受信機感度を感度低下させ（desense）得る。デジタルな干渉キャンセルが提供されているが、ＲＦフロントエンドにおける低雑音増幅器の飽和を回避することができない可能性がある。
【発明の概要】
【０００５】
[0005]  １つ以上の態様の基本的理解を提供するために、そのような態様の簡略化された概要を下記に提示する。この概要は、全ての熟考された態様の広範な概説ではなく、全ての態様のキーとなるもしくは重要な要素を識別することも、任意のまたは全ての態様の範囲を詳細に描写することも意図されていない。その唯一の目的は、後に提示される、より詳細な説明への前置きとして、簡略化された形式で１つ以上の態様のいくつかの概念を提示することである。
【０００６】
[0006]  一例によると、共用アンテナにおいてアナログ干渉キャンセルを提供するための方法が、提供される。方法は、共用アンテナの送信機チェーン中の複数の基準点において複数の信号を取得することと、キャンセル信号を生成するための複数の基準点のうちの少なくとも１つの基準点および／またはキャンセル信号を注入するための少なくとも１つの注入点を、複数の基準点の各々および／または少なくとも１つの注入点に関連する予期されるアナログ干渉キャンセルメトリックに少なくとも部分的に基づいて選択することと、少なくとも１つの基準点および／または少なくとも１つの注入点に少なくとも部分的に基づいて、キャンセル信号を生成することと、共用アンテナの送信機チェーンで生成された信号からの干渉をキャンセルするために、共用アンテナの受信機チェーンにおいて少なくとも１つの注入点にキャンセル信号を注入することとを含む。
【０００７】
[0007]  別の例では、共用アンテナにおいてアナログ干渉キャンセルを提供するための装置が提供される。装置は、送信機チェーンと受信機チェーンとの間で共用されるアンテナと、バスを介して送信機チェーンおよび受信機チェーンと通信可能に結合された少なくとも１つのプロセッサと、送信機チェーン、受信機チェーン、および少なくとも１つのプロセッサを、バスを介して通信可能に結合されたメモリとを含む。少なくとも１つのプロセッサおよびメモリは、共用アンテナの送信機チェーン中の複数の基準点において複数の信号を取得することと、キャンセル信号を生成するための複数の基準点のうちの少なくとも１つの基準点および／またはキャンセル信号を注入するための少なくとも１つの注入点を、複数の基準点の各々および／または少なくとも１つの注入点に関連する予期されるアナログ干渉キャンセルメトリックに少なくとも部分的に基づいて選択することと、少なくとも１つの基準点および／または少なくとも１つの注入点に少なくとも部分的に基づいて、キャンセル信号を生成することと、共用アンテナの送信機チェーンで生成された信号からの干渉をキャンセルするために、共用アンテナの受信機チェーンにおいて少なくとも１つの注入点にキャンセル信号を注入することとを行うように動作可能である。
【０００８】
[0008]  さらなる例では、共用アンテナにおいてアナログ干渉キャンセルを提供するための装置が提供される。装置は、共用アンテナの送信機チェーン中の複数の基準点において複数の信号を取得するための手段と、キャンセル信号を生成するための複数の基準点のうちの少なくとも１つの基準点および／またはキャンセル信号を注入するための少なくとも１つの注入点を、複数の基準点の各々および／または少なくとも１つの注入点に関連する予期されるアナログ干渉キャンセルメトリックに少なくとも部分的に基づいて選択するための手段と、少なくとも１つの基準点および／または少なくとも１つの注入点に少なくとも部分的に基づいて、キャンセル信号を生成するための手段と、共用アンテナの送信機チェーンで生成された信号からの干渉をキャンセルするために、共用アンテナの受信機チェーンにおいて少なくとも１つの注入点にキャンセル信号を注入するための手段とを含む。
【０００９】
[0009]  さらに、一例では、共用アンテナにおいてアナログ干渉キャンセルを提供するために、コンピュータによって実行可能なコードを記憶するコンピュータ可読媒体が提供される。コードは、共用アンテナの送信機チェーン中の複数の基準点において複数の信号を取得するためのコードと、キャンセル信号を生成するための複数の基準点のうちの少なくとも１つの基準点および／またはキャンセル信号を注入するための少なくとも１つの注入点を、複数の基準点の各々および／または少なくとも１つの注入点に関連する予期されるアナログ干渉キャンセルメトリックに少なくとも部分的に基づいて選択するためのコードと、少なくとも１つの基準点および／または少なくとも１つの注入点に少なくとも部分的に基づいて、キャンセル信号を生成するためのコードと、共用アンテナの送信機チェーンで生成された信号からの干渉をキャンセルするために、共用アンテナの受信機チェーンにおいて少なくとも１つの注入点にキャンセル信号を注入するためのコードとを含む。
【００１０】
[0010]  前述の目的および関連する目的の達成のために、１つ以上の態様は、以下において十分に説明され、特許請求の範囲において特に指摘される特徴を備える。下記の説明および添付される図面は、１つ以上の態様のうちの、ある特定の例示的な特徴を詳細に記載する。しかしながら、これらの特徴は、様々な態様の原理が用いられ得る様々な方法のうちのごく一部を示すものであり、本説明は、全てのこのような態様およびそれらの同等物を含むことが意図される。
【図面の簡単な説明】
【００１１】
[0011]  添付の図面は、本開示の様々な態様の説明に役立つように提示されており、その態様の例示のためだけに提供されるが、これらに限定されない。図面は、類似する要素についての類似する参照番号を含み、任意のコンポーネントまたはアクションを、破線を使用して表し得る。
【図１】[0012]  図１は、本明細書で説明される態様に従った、送信機チェーンと受信機チェーンとの間で共用されるアンテナを有しかつアナログ干渉キャンセルを提供するために構成されるデバイスを含む、例となるワイヤレス通信システムを例示するブロック図である。
【図２】[0013]  図２は、本明細書で説明される態様に従った、共用アンテナを有するデバイスにおいてアナログ干渉キャンセルを提供するために、キャンセル信号を生成および注入するための例となる方法の方法フロー図である。
【図３】[0014]  図３は、本明細書で説明される態様に従った、共用アンテナを有するデバイスにおいてアナログ干渉キャンセルを提供するために、キャンセル信号を生成および注入するための別の例となる方法の方法フロー図である。
【図４】[0015]  図４−７は、本明細書で説明される態様に従った、共用アンテナを有するデバイスにおいてアナログ干渉キャンセルを提供するための、例となる共用アンテナおよびＲＦフロントエンド構成を概念的に例示するブロック図である。
【図５】図５は、本明細書で説明される態様に従った、共用アンテナを有するデバイスにおいてアナログ干渉キャンセルを提供するための、例となる共用アンテナおよびＲＦフロントエンド構成を概念的に例示するブロック図である。
【図６】図６は、本明細書で説明される態様に従った、共用アンテナを有するデバイスにおいてアナログ干渉キャンセルを提供するための、例となる共用アンテナおよびＲＦフロントエンド構成を概念的に例示するブロック図である。
【図７】図７は、本明細書で説明される態様に従った、共用アンテナを有するデバイスにおいてアナログ干渉キャンセルを提供するための、例となる共用アンテナおよびＲＦフロントエンド構成を概念的に例示するブロック図である。
【詳細な説明】
【００１２】
[0016]  添付の図面に関連して以下に記載される詳細な説明は、様々な構成の説明を意図したものであり、本明細書で説明される概念が実現され得る唯一の構成を表すことを意図したものではない。詳細な説明は、様々な概念の完全な理解を提供する目的で、特定の詳細を含む。しかしながら、これらの概念がこれらの特定の詳細なしに実施され得ることは、当業者にとって明らかであるだろう。いくつかの事例では、周知のコンポーネントが、そのような概念を曖昧にすることを避けるためにブロック図形式で示される。また、本明細書で説明される場合、「コンポーネント」という用語は、システムを構成する部分のうちの１つであり得、ハードウェア、ファームウェア、および／またはソフトウェアであり得、他の機能に分割され得る。
【００１３】
[0017]  本明細書で説明されるものは、共用アンテナにおいてアナログ干渉キャンセル構成を実施することに関連する様々な態様である。例えば、キャンセル信号は、ワイヤレスネットワークで通信するデバイスの無線周波数（ＲＦ）フロントエンドにおける複数の基準点に基づいて生成され得、ここで、デバイスは、ＵＥ、基地局、リレーノードなどを含み得るか、または実質的には、共用アンテナを使用するワイヤレス通信上の任意の能力のある（capable）ノードを含み得る。キャンセル信号のうちの１つ以上は、それらの１つ以上のメトリックに基づいて選択され得、選択されたキャンセル信号は、共用アンテナについてのアナログ干渉キャンセルを行うために、ＲＦフロントエンドにおける１つ以上のキャンセルポイント（cancelation points）に注入され得る。例えば、キャンセル信号の選択は、キャンセル信号の整合コンポーネントを決定すること、キャンセル信号の予期されるアナログ干渉キャンセル利得を決定すること、キャンセル信号の予期されるアナログ干渉キャンセルコストを決定することなどのうちの少なくとも１つに基づき得る。
【００１４】
[0018]  図１−３を参照すると、態様は、本明細書で説明されるアクションまたは動作を行い得る１つ以上のコンポーネントおよび１つ以上の方法に関連して描かれる。図２−３において下記に説明される動作は、特定の順序で表され、および／または例となる機能によって行われるが、アクションの順序付けおよびそのアクションを行う機能は、実装に従って変化することが理解されるべきである。さらに、下記のアクションまたは動作は、特別にプログラムされたプロセッサ、特別にプログラムされたソフトウェアまたはコンピュータ可読媒体を実行するプロセッサによって、または説明されるアクションまたは機能を行うことが可能なハードウェアコンポーネントおよび／またはソフトウェアコンポーネントの任意の他の組み合わせによって行われ得ると理解されるべきである。
【００１５】
[0019]  図１は、ネットワークエンティティ１３０（例えば、１つ以上のセルを提供する基地局またはノードＢ（Ｎｏｄｅ ＢまたはＮＢ））の通信カバレッジにおけるデバイス１０１を含むワイヤレス通信システム１００を例示する。デバイス１０１は、ネットワークエンティティ１３０および／または無線ネットワーク制御１５０（ＲＮＣ）を介してネットワーク１６０と通信し得る。一態様では、デバイス１０１は、構成された通信リソースを通じて、制御および／またはデータ送信（例えば、シグナリング）をネットワークエンティティ１３０に送るためにアップリンク信号１７３が送信され得、制御および／またはデータメッセージ（例えば、シグナリング）をネットワークエンティティ１３０を介して受信するためにダウンリンク信号１７１が受信され得る、１つ以上のアップリンクチャネルを確立している可能性がある。デバイス１０１は、ダウンリンク信号１７１を受信し、アップリンク信号１７３を送信するために使用される共用アンテナ１０２を含み得る。そのため、例えば、送信されたアップリンク信号１７３は、ネットワークエンティティ１３０からダウンリンク信号１７１を受信しようと試みるとき、ＲＦフロントエンド１０４の受信機チェーンのコンポーネントによって受信され得る。
【００１６】
[0020]  一態様では、デバイス１０１は、例えば、１つ以上のバス１０８を介して通信可能に結合され得る１つ以上のプロセッサ１０３および／またはメモリ１０７を含み得、共用アンテナ１０２にアナログ干渉キャンセルを提供するためのキャンセル信号インジェクタコンポーネント１２０と連動して動作し得るか、またはそうでなければそれを実装し得、それは、本明細書で説明されるような、デバイス１０１の送信リソースと受信リソース（例えば、ＲＦフロントエンド１０４の送信機チェーンと受信機チェーン）との間で共用され得る。例えば、キャンセル信号インジェクタコンポーネント１２０は、キャンセル信号１１９を生成し、そのキャンセル信号１１９をＲＦフロントエンド１０４の１つ以上の注入点に注入するために、ＲＦフロントエンド１０４における１つ以上の基準点を決定するための様々な機能を実行し得る。キャンセル信号インジェクタコンポーネント１２０に関連する様々な機能は、１つ以上のプロセッサ１０３によって実装され得るか、またはそうでなければ実行され得、一態様では単一のプロセッサによって実行され得るが、一方他の実施形態では複数の機能のうちの異なるものが２つ以上の異なるプロセッサによって実行され得る。例えば、一態様では、１つ以上のプロセッサ１０３は、モデムプロセッサ、またはベースバンドプロセッサ、またはデジタルシグナルプロセッサ、または特定用途向け集積回路（ＡＳＩＣ）、または送信プロセッサ、またはトランシーバ１０６に関連付けられたトランシーバプロセッサの、いずれか１つあるいは任意の組み合わせを含み得る。さらに、例えば、メモリ１０７は、限定はされないが、ランダムアクセスメモリ（ＲＡＭ）、読み取り専用メモリ（ＲＯＭ）、プログラム可能なＲＯＭ（ＰＲＯＭ）、消去可能なＲＯＭ（ＰＲＯＭ）、電子的に消去可能なＰＲＯＭ（ＥＥＰＲＯＭ（登録商標））、磁気記憶デバイス（例えば、ハードディスク、フロッピー（登録商標）ディスク、磁気ストリップ）、光学デバイス（例えば、コンパクトディスク、フロッピーディスク（ＣＤ）、デジタル多用途ディスク（ＤＶＤ））、スマートカード、フラッシュメモリデバイス（例えば、カード、スティック、キードライブ）、レジスタ、リムーバブルディスク、およびコンピュータまたは１つ以上のプロセッサ１０３によってアクセスされおよび読み取られ得るコンピュータ可読コードまたは命令および／またはソフトウェアを記憶するための他の適切な媒体を含む、非一時的コンピュータ可読媒体であり得る。さらに、メモリ１０７またはコンピュータ可読記憶媒体は、１つ以上のプロセッサ１０３内に、１つ以上のプロセッサ１０３の外部に存在し得るか、または１つ以上のプロセッサ１０３を含む複数のエンティティにわたって分散され得る。
【００１７】
[0021]  具体的には、１つ以上のプロセッサ１０３および／またはメモリ１０７は、キャンセル信号インジェクタコンポーネント１２０またはそのサブコンポーネントによって定義されるアクションまたは動作を実行し得る。例えば、１つ以上のプロセッサ１０３および／またはメモリ１０７は、ＲＦフロントエンド１０４における１つ以上の基準点からの信号（例えば、基準点１１０、１１１、１１２、１１３などのうちの１つ以上からの信号１１５、１１６、１１７、１１８）を取得するために、信号取得コンポーネント１２２によって定義されるアクションまたは動作を実行し得る。一態様では、例えば、信号取得コンポーネント１２２は、本明細書で説明される特別に構成された信号取得動作を行うための、ハードウェア（例えば、１つ以上のプロセッサ１０３の１つ以上のプロセッサモジュール）、および／または、メモリ１０７に記憶され、１つ以上のプロセッサ１０３のうちの少なくとも１つによって実行可能なコンピュータ可読コードまたは命令を含み得る。さらに、例えば、１つ以上のプロセッサ１０３および／またはメモリ１０７は、キャンセル信号１１９を生成するために１つ以上の基準点に関連付けられた１つ以上の信号（例えば、基準点１１０、１１１、１１２、１１３のうちの１つ以上からの信号１１５、１１６、１１７、１１８など）を選択するための、および／または、結果として生じるキャンセル信号を注入するために１つ以上の注入点１１４、１２５を選択するための、基準／注入点選択コンポーネント１２４によって定義されるアクションまたは動作を実行し得る。一態様では、例えば、基準／注入点選択コンポーネント１２４は、本明細書で説明される特別に構成された基準点選択動作を行うための、ハードウェア（例えば、１つ以上のプロセッサ１０３の１つ以上のプロセッサモジュール）、および／または、メモリ１０７に記憶され、１つ以上のプロセッサ１０３のうちの少なくとも１つによって実行可能なコンピュータ可読コードまたは命令を含み得る。さらに、例えば、１つ以上のプロセッサ１０３および／またはメモリ１０７は、選択された基準点と注入点のペアに基づいてキャンセル信号１１９を生成するためのキャンセル信号生成コンポーネント１２６によって定義されるアクションまたは動作を実行し得る。
【００１８】
[0022]  一例では、信号取得コンポーネント１２２は、ＲＦフロントエンド１０４において（例えば、少なくともＲＦフロントエンド１０４の送信機チェーンにおいて）複数の信号を複数の基準点から取得し得、それは、基準点１１０、１１１、１１２、１１３のうちの１つ以上からの信号１１５、１１６、１１７、１１８を含み得る。この例では、基準／注入点選択コンポーネント１２４は、キャンセル信号を生成するための、基準点１１０、１１１、１１２、１１３、または関連する信号１１５、１１６、１１７、１１８のうちの少なくとも１つを選択し得、および／または、所与の攻撃側と被害側のセット、予期されるアナログ干渉キャンセルメトリック（例えば、本明細書で説明されるような、構成された予期されるアナログ干渉キャンセル利得、構成された予期されるアナログ干渉キャンセルコストなど）、ネットワークエンティティ１３０から受信されるかまたはそうでなければデバイス１０１に記憶される構成の一部として決定され得る１つ以上の関連する閾値（例えば、アナログ干渉キャンセル利得を予期した閾値、アナログ干渉キャンセルコストを予期した閾値など）のうちの１つ以上にその選択が基づき得る、注入点１１４、１２５のうちの少なくとも１つを選択し得る。
【００１９】
[0023]  一例では、複数の基準点は、実質的に、ＰＡ出力、フィルタコンポーネント出力（例えば、個々のフィルタ、デュプレクサ、フィルタバンクなど）、ダイプレクサの入力、段、または出力などのような、送信機チェーン１３１中のいずれの基準点も含み得る。描かれる例では、複数の基準点は、共用アンテナ１０２とダイプレクサ１０５との間の基準点１１０、ダイプレクサ１０５とスイッチ１４２との間の基準点１１１、スイッチ１４２と１つ以上のフィルタ１４４との間の基準点１１２（例えば、一例ではデュプレクサまたはマルチプレクサの一部であり得、スイッチ１４２によって選択されたパスに従う）、および／またはフィルタ１４４と電力増幅器（ＰＡ）１４５との間の基準点１１３を含み得る。ダイプレクサ１０５が多段ダイプレクサ（multiple stage diplexer）（例えば、第１の段において低帯域と中帯域とを組み合わせ、次いで、第２の段において高帯域と再度組み合わせられる）を含み得ることが認識されるだろう。そのため、基準点は、複数の段の１つ以上の出力であり得る。フィルタコンポーネント（例えば、１つ以上のフィルタ１４４）は、デュプレクサ、送信フィルタ（例えば、専用送信機チェーンまたは時間領域複信（ＴＤＤ：time domain duplexing）チェーンが存在する場合）などを含み得る。キャンセル信号インジェクタコンポーネント１２０は、アナログ干渉キャンセルを提供するために、例えば、ＬＮＡ１４１の入力における、ＬＮＡ１４１の出力における、ＬＮＡの１つ以上の段における、またはフィルタ１４４への他の入力における、低雑音増幅器（ＬＮＡ）１４１とフィルタ１４４との間の注入点１１４、１２５などのような、ＲＦフロントエンド１０４中の１つ以上の注入点に、キャンセル信号１１９の１つ以上を注入し得る。キャンセル信号生成コンポーネント１２６は、選択された基準点のうちの１つ以上、および／または、選択された注入点または取得された関連する信号のうちの１つ以上の組み合わせについて、キャンセル信号１１９のようなキャンセル信号を生成し得る。
【００２０】
[0024]  さらに、一態様では、デバイス１０１は、無線送信を送信および受信するための、ＲＦフロントエンド１０４およびトランシーバ１０６を含み得る。例えば、トランシーバ１０６は、ＲＦフロントエンド１０４を介して送信するためのメッセージを取得するために、および／または、処理のためにＲＦフロントエンド１０４を介して受信されたメッセージを提供するために、１つ以上のプロセッサ１０３（または、別のプロセッサ）と通信し得る。ＲＦフロントエンド１０４は、１つ以上の共用アンテナ１０２に接続され得、それは、送信および受信信号の両方のために使用される少なくとも１つの共用アンテナを含み得る。ＲＦフロントエンド１０４は、複数の周波数帯域の複数の信号を多重化するために、周波数分割多重化（ＦＤＭ：frequency division multiplexing）を提供するためのダイプレクサ１０５を含み得る。ＲＦフロントエンド１０４は、ＲＦ信号（例えば、アップリンク信号１７３および／またはダウンリンク信号１７１）を送信および受信するための、１つ以上のＬＮＡ１４１、１つ以上のスイッチ１４２、１つ以上のＰＡ１４５、および１つ以上のフィルタ１４４を含み得る。一態様では、ＲＦフロントエンド１０４のコンポーネントは、トランシーバ１０６と接続し得る（例えば、ＬＮＡ１４１、ＰＡ１４５など）。ＲＦフロントエンド１０４は、複数のフィルタ１４４、ＬＮＡ１４１、および／またはＰＡ１４５を介して、複数の帯域にわたる通信をサポートし得る。そのため、例えば、各フィルタ１４４は、ＲＦフロントエンド１０４が信号を送信または受信し得る、ある特定の周波数帯域に関連し得る。
【００２１】
[0025]  一態様では、ＬＮＡ１４１は、受信された信号を所望の出力レベルで増幅し得る。一態様では、各ＬＮＡ１４１は、受信された信号を増幅するために指定された最小および最大利得値を有し得る。一態様では、ＲＦフロントエンド１０４は、ＬＮＡ１４１への特定のフィルタ１４４のパスを選択するために、１つ以上のスイッチ１４２を使用し得る。例えば、ＲＦフロントエンド１０４は、ＬＮＡ１４１の指定された利得値および／または特定のアプリケーションのための所望の利得値に基づいて、特定のフィルタ１４４／ＬＮＡ１４１を利用し得る。
【００２２】
[0026]  さらに、例えば、ＲＦ出力送信のための信号を、所望の出力電力レベルで増幅するために、１つ以上のＰＡ１４５がＲＦフロントエンド１０４によって使用され得る。一態様では、各ＰＡ１４５は、指定された最小および最大利得値を同様に有し得る。一態様では、ＲＦフロントエンド１０４は、ＰＡ１４５の利得値に基づいて特定のアプリケーションのための所望の利得値を得るために、特定のフィルタ１４４のパスおよび関連付けられたＰＡ１４５を選択するために、１つ以上のスイッチ１４２を使用し得る。
【００２３】
[0027]  また、例えば、１つ以上のフィルタ１４４は、入力ＲＦ信号を取得するために、受信された信号をフィルタするためにＲＦフロントエンド１０４によって使用され得る。同様に、一態様では、例えば、それぞれのフィルタ１４４は、送信のための出力信号を作成するために、それぞれのＰＡ１４５からの出力をフィルタするために使用され得る。一態様では、各フィルタ１４４は、特定のＬＮＡ１４１および／またはＰＡ１４５に接続され得る。一態様では、ＲＦフロントエンド１０４は、トランシーバ１０６、および／または１つ以上のプロセッサ１０３によって指定されるような構成に基づいて、指定されたフィルタ１４４、ＬＮＡ１４１、および／またはＰＡ１４５を使用して、送信または受信パスを選択するために１つ以上のスイッチ１４２を使用し得る。
【００２４】
[0028]  トランシーバ１０６は、共用アンテナ１０２を通じてＲＦフロントエンド１０４を介してワイヤレス信号を送信および受信するように構成され得る。一態様では、トランシーバ１０６は、デバイス１０１が、例えば、ある特定の周波数でネットワークエンティティ１３０と通信し得るように、指定された周波数で動作するように調整され得る。一態様では、１つ以上のプロセッサ１０３は、デバイス１０１のデバイス構成および／または通信プロトコルに基づいて、指定された周波数および電力レベルで動作するために、トランシーバ１０６を構成し得る。
【００２５】
[0029]  一態様では、トランシーバ１０６は、トランシーバ１０６を使用して送受信されたデジタルデータを処理するなどのために、（例えば、図示されないが、マルチバンドマルチモードモデムを使用して）複数の帯域で動作し得る。一態様では、トランシーバ１０６は、マルチバンドであり得、特定の通信プロトコルに関する複数の周波数帯域をサポートするように構成される。一態様では、トランシーバ１０６は、複数の動作ネットワークおよび通信プロトコルをサポートするように構成され得る。よって、例えば、トランシーバ１０６は、指定されたモデム構成に基づいて、ネットワークからの信号を送信および／または受信することができ得る。一態様では、これに関するトランシーバ１０６の構成は、セル選択および／またはセル再選択中にネットワークによって提供されるような、デバイス１０１に関連付けられるデバイス構成情報に基づき得る。
【００２６】
[0030]  いくつかの態様では、デバイス１０１は、当業者によって、ユーザ機器（ＵＥ)、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの適切な専門用語で呼ばれ得る（同様に、本明細書では置き換えて使用することができる）。デバイス１０１は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局、全地球測位システム（ＧＰＳ）デバイス、マルチメディアデバイス、ビデオデバイス、デジタルオーディオプレイヤ（例えば、ＭＰ３プレーヤ）、カメラ、ゲーム機、ウェアラブルコンピューティングデバイス（例えば、スマートウォッチ、スマートメガネ、ヘルスまたはフィットネストラッカなど）、電化製品、センサ、自動車通信システム、メディカルデバイス、自動販売機、または任意の他の類似する機能的デバイスであり得る。
【００２７】
[0031]  一態様では、ネットワークエンティティ１３０のような、ワイヤレス通信システム１００における他のデバイスは、キャンセル信号インジェクタコンポーネント１２０を含み得るおよび実装し得ることが認識されるだろう。例えば、ネットワークエンティティ１３０は、ワイヤレスネットワーク中の信号を送信および受信するために使用される共用アンテナのために、ＲＦフロントエンドにおけるアナログ干渉キャンセルを行うように構成され得る。
【００２８】
[0032]  図２は、ＲＦチェーンの１つ以上の注入点への注入のために、複数の基準点から生成される複数のキャンセル信号のうちの１つ以上を選択するための方法２００を例示する。方法２００は、ブロック２０２において、共用アンテナの送信機チェーン中の複数の基準点において複数の信号を取得することを含む。一態様では、例えば、信号取得コンポーネント１２２は、共用アンテナ１０２の送信機チェーンにおいて、複数の信号（例えば、信号１１５、１１６、１１７、１１８）を複数の基準点（例えば、基準点１１０、１１１、１１２、１１３）で取得し得る。例えば、共用アンテナ１０２の送信機チェーンは、限定はされないが、ダイプレクサ１０５、スイッチ１４２、フィルタ１４４の１つ以上、１つ以上のＰＡ１４５などのような、結合されたコンポーネントのチェーンを含み得、それは、ダイプレクサ１０５、スイッチ１４２、フィルタ１４４などを有するチェーン１３１として表され得、送信機チェーンおよび受信機チェーンコンポーネントとして動作し得、チェーン１３２で示されるＰＡ１４５と連動する。送信機チェーンはまた、受信機チェーンへの干渉を引き起こし得るため、攻撃側チェーンとも呼ばれ得る。例えば、共用アンテナ１０２の受信機チェーンは、ダイプレクサ１０５、スイッチ１４２、フィルタ１４４の１つ以上、１つ以上のＬＮＡ１４１などのような、結合されたコンポーネントのチェーンを含み得、それは、ダイプレクサ１０５、スイッチ１４２、フィルタ１４４などを有するチェーン１３１として表され得、送信機チェーンおよび受信機チェーンコンポーネントとして動作し得、チェーン１３３で示されるＬＮＡ１４１と連動する。受信機チェーンはまた、送信機チェーンからの信号によって干渉され得るので、被害側チェーンとも呼ばれ得る。
【００２９】
[0033]  説明されるように、例えば、複数の基準点は、ＲＦフロントエンド１０４に描かれている基準点１１０、１１１、１１２、および１１３の少なくとも一部分を含み得る。この例では、信号取得コンポーネント１２２は、信号１１５、１１６、１１７、および／または１１８のような信号を、ＲＦフロントエンド１０４における１つ以上の基準点１１０、１１１、１１２、および／または１１３のうちの１つ以上からタップ（tap）し得る。例えば、１つ以上のプロセッサ１０３は、関連するコンポーネントへの入力／出力（例えば、ＰＡ１４５の出力、フィルタ１４４の出力、スイッチ１４２の出力、ダイプレクサ１０５の出力など）と通信することに少なくとも部分的に基づいて、基準点１１０、１１１、１１２、および／または１１３のうちの１つ以上の各々で信号１１５、１１６、１１７、および／または１１８を検出し得る。
【００３０】
[0034]  そのため、一例では、ブロック２０２において複数の信号を取得することは、ブロック２０４において、複数の信号を、具体的には、ダイプレクサとデュプレクサとの間で、および／またはダイプレクサと共用アンテナとの間で、ＰＡの出力において取得することを任意で含み得る。一態様では、例えば、信号取得コンポーネント１２２は、適宜、ダイプレクサ１０５とデュプレクサとの間で、複数の信号をＰＡ１４５の出力（例えば、基準点１１３）において取得し得、それは、フィルタ１４４および／またはスイッチ１４２（例えば、基準点１１２および／または１１１において）を含み得、および／またはダイプレクサ１０５と共用アンテナ１０２との間（例えば、基準点１１０において）を含み得る。
【００３１】
[0035]  本明細書で説明されるように、異なる基準点１１０、１１１、１１２、および／または１１３は、異なるタイプの干渉に関連し得、基準点の１つ以上は、基準点での信号の１つ以上の態様に基づいて、受信機チェーンにおける干渉を効率的にキャンセルするために、キャンセル信号を生成するために使用され得る。信号を取得するための１つ以上の態様は、（例えば、下記でより詳細に説明されるような、基準点における信号の、予期されるアナログ干渉キャンセルメトリック、整合コンポーネントなどの）どの信号が受信機チェーンを通じて受信された信号からの干渉をキャンセルするのに適切であるかを決定することに関連し得る。例えば、図４は、基準信号をタップするための異なる基準点１１０、１１１、１１２、１１３を説明するＲＦフロントエンド１０４の例を例示する。図５は、キャンセル信号を生成するための基準信号が基準点１１０からタップされる、例となるＲＦフロントエンド１０４を例示する。図６は、キャンセル信号を生成するための基準信号が基準点１１１からタップされる、例となるＲＦフロントエンド１０４を例示する。図７は、キャンセル信号を生成するための基準信号が基準点１１３からタップされる、例となるＲＦフロントエンド１０４を例示する。
【００３２】
[0036]  方法２００は、ブロック２０６において、キャンセル信号を生成するための複数の基準点のうちの少なくとも１つの基準点および／またはキャンセル信号を注入するための少なくとも１つの注入点を、複数の基準点の各々および／または少なくとも１つの注入点に関連する予期されるアナログ干渉キャンセルメトリックに少なくとも部分的に基づいて選択することを含み得る。一態様では、例えば、基準／注入点選択コンポーネント１２４は、キャンセル信号を生成するための複数の基準点のうちの少なくとも１つの基準点および／またはキャンセル信号を注入するための少なくとも１つの注入点を、複数の基準点の各々および／または少なくとも１つの注入点に関連する予期されるアナログ干渉キャンセルメトリックに少なくとも部分的に基づいて選択し得る。例えば、少なくとも１つの基準点および／または注入点のペアは、下記の例で説明されるように、１つ以上のアクションに基づいて、基準点１１０、１１１、１１２、１１３のうちの１つ以上、および／または、注入点１１４、１２５のうちの１つ以上を選択する基準／注入点選択コンポーネント１２４を含み得る。
【００３３】
[0037]  例えば、ブロック２０６において、少なくとも１つの基準点および／または少なくとも１つの注入点を選択することは、受信機チェーンにおけるキャンセル信号のための注入点を選択する、基準／注入点選択コンポーネント１２４を含み得る。説明されるように、例えば、基準／注入点選択コンポーネント１２４は、ＬＮＡ１４１に関連する１つ以上の注入点１１４、１２５（例えば、ＬＮＡ１４１への入力、ＬＮＡ１４１の出力、ＬＮＡ１４１が多段ＬＮＡである場合のＬＮＡ１４１の１つ以上の段など）、またはキャンセル信号を注入するためのＲＦフロントエンド１０４の受信機チェーンにおける他の点を選択し得、それは、本明細書でさらに説明されるような、予期されるアナログ干渉キャンセル利得、電力消費、ＬＮＡ構成などを決定することに基づき得る。別の例では、キャンセル信号インジェクタコンポーネント１２０は、１つの注入点に限定され得、複数の注入点間で実際の選択は発生しない。いずれの場合にも、予期されるアナログ干渉キャンセルメトリックは、本明細書で説明されるような、複数の基準点および／または注入点に基づいて計算され得る。
【００３４】
[0038]  一例では、ブロック２０６において少なくとも１つの基準点および／または少なくとも１つの注入点を選択することは、ブロック２０８において、複数の基準点の各々および／または少なくとも１つの注入点についての予期されるアナログ干渉キャンセルメトリックを同時に決定することを任意で含み得る。一態様では、例えば、基準／注入点選択コンポーネント１２４は、複数の基準点の各々および／または少なくとも１つの注入点についての予期されるアナログ干渉キャンセルメトリックを同時に決定し得、それは、基準点および注入点ごとのメトリックを決定することを含み得る。そのため、例えば、基準／注入点選択コンポーネント１２４は、処理遅延を軽減するための別のペアについての類似するメトリックを決定することと並列して、１つの基準点および注入点のペアについての予期されるアナログ干渉キャンセルメトリックを決定し得る。
【００３５】
[0039]  一例では、ブロック２０６において少なくとも１つの基準点および／または少なくとも１つの注入点を選択することはまた、ブロック２１０において、最も高い予期されるアナログ干渉キャンセル利得を有すると決定された少なくとも１つの基準点および／または注入点（例えば、少なくとも１つの基準点と注入点を含むペア）を選択することを任意で含み得る。一態様では、例えば、基準／注入点選択コンポーネント１２４は、キャンセル信号１１９として注入点の少なくとも１つに（例えば、注入点１１４、１２５などに）注入されるときに最も高い予期されるアナログ干渉キャンセル利得を有すると決定された複数の基準点のうちの少なくとも１つからの少なくとも１つの信号（例えば、信号１１５、１１６、１１７、１１８のうちの少なくとも１つ）を選択し得る。これは、複数の基準点の各々および／または少なくとも１つの注入点（例えば、基準点と注入点のペア）に関連した複数の信号の予期されるアナログ干渉キャンセル利得を計算および比較する、基準／注入点選択コンポーネント１２４を含み得る。
【００３６】
[0040]  そのため、例えば、予期されるアナログ干渉キャンセルメトリックは、予期されるアナログ干渉キャンセル利得を含み得、基準／注入点選択コンポーネント１２４は、基準点と注入点の複数のペアの各々についての予期されるアナログ干渉キャンセル利得を決定し得る。例えば、基準／注入点選択コンポーネント１２４は、基準点１１０、１１１、１１２、１１３の各々において受信される信号、および／または注入点１１４、１２５における対応する干渉信号間の、（例えば、フィルタ１１４の）フィルタグループ遅延、雑音指数、利得などのような、ＲＦパス不整合（RF path mismatch）を整合するための整合コンポーネントを決定し得、ここで、信号は、対応する基準点から受信機チェーンを通ってトラバースし得る。整合コンポーネントがＲＦパス不整合を整合する場合、キャンセル信号生成コンポーネント１２６は、整合コンポーネントに基づいて（例えば、整合コンポーネントを使用して、または整合コンポーネントを通じて）所望のキャンセル信号を生成し、望ましいキャンセル利得を提供し得る。部分的なばらつき（part variation）による、または異なるコンポーネントを使用する部分に起因した任意の残余不整合（residual mismatches）は、キャンセル信号品質およびキャンセル利得を低下させ得る。基準／注入点選択コンポーネント１２４は、予期されるキャンセル利得を決定し得、それは、整合コンポーネントがＲＦパス不整合について整合された後の残余不整合の機能であり得る。整合コンポーネントの後の、最も低い残余ＲＦパス不整合、雑音指数差などを有する、最も低い残余ＲＦパス不整合基準点１１０、１１１、１１２、１１３／注入点１１４、１１５のペアは、最も高いアナログ干渉キャンセル利得を有する基準点および注入点のペアとして選択され得る。別の例では、本明細書で説明されるように、基準点／注入点のペアは、適宜、最も低い予期されるアナログ干渉キャンセルコストまたは他のパラメータに基づくさらなる検討のために、最も高い予期されるアナログ干渉キャンセル利得の観点からランク付けされ得る。
【００３７】
[0041]  一例では、ブロック２０６において少なくとも１つの基準信号および／または注入信号を選択することはまた、ブロック２１２において、（例えば、構成されたアナログ干渉キャンセル利得を獲得しつつ）最も低い予期されるアナログ干渉キャンセルコストを有すると決定された少なくとも１つの基準信号および／または注入信号を選択することを任意で含み得る。一態様では、例えば、基準／注入点選択コンポーネント１２４は、キャンセル信号１１９として注入点の少なくとも１つに（例えば、注入点１１４、１２５などに）注入されるとき、最も低い予期されるアナログ干渉キャンセルコストを有すると決定された少なくとも１つのペア（例えば、信号１１５、１１６、１１７、１１８のうちの少なくとも１つなど）を選択し得る。これは、複数の基準点および／または少なくとも１つの注入点（例えば、基準点と注入点のペア）の各々に関連する複数の信号の各々の予期されるアナログ干渉キャンセルの各々のコストを計算および比較する、基準／注入点選択コンポーネント１２４を含み得る。
【００３８】
[0042]  そのため、例えば、予期されるアナログ干渉キャンセルメトリックは、予期されるアナログ干渉キャンセルコストを含み得、基準／注入点選択コンポーネント１２４は、基準点と注入点の複数のペアの各々についての予期されるアナログ干渉キャンセルコストを決定し得る。例えば、基準／注入点選択コンポーネント１２４は、そのペアの各々について、整合コンポーネント（例えば、整合フィルタ、増幅器、遅延ラインなど）、およびキャンセル信号生成が、基準点で受信された信号と、注入点において注入された結果として生じるキャンセル信号との間のＲＦパス不整合を整合するための関連付けられたコスト、基準点の数などのうちの少なくとも１つを決定し得る。そのペア間（例えば、構成されたアナログ干渉キャンセル利得もまた獲得する）で、最も低い整合コンポーネントコスト、基準点コストなどを有する基準点１１０、１１１、１１２、１１３／注入点１１４、１１５のペアは、最も低い予期されるアナログ干渉キャンセルコスト有する基準点および注入点のペアとして選択され得る。
【００３９】
[0043]  一例では、基準／注入点選択コンポーネント１２４は、予期されるアナログ干渉キャンセル利得と予期されるアナログ干渉キャンセルコストとの組み合わせに基づいて、基準点／注入点（例えば、基準点と注入点のペアを含み得る）を選択し得る。例えば、基準／注入点選択コンポーネント１２４は、アナログ干渉キャンセル利得を予期した閾値（例えば、メモリ１０７を含む固定されたまたは移動可能なメモリ、ハードコーディングなどにおいて、デバイス中で構成される値であり得る）を獲得するために、基準点１１０、１１１、１１２、１１３、および／または注入点１１４、１２５を選択し得、利得が満たされる場合、コストおよび／または利得の機能に基づいて、基準／注入点選択コンポーネント１２４は、基準点および／または注入点を選択し得る。例えば、基準／注入点選択コンポーネント１２４は次に、（例えば、構成されたアナログキャンセル利得を獲得する）ペア間のコストと利得との組み合わせとして定義され得る最も高い利益関数値（revenue function value）を有する、基準点および／または注入点を選択し得る。
【００４０】
[0044]  方法２００はまた、ブロック２１４において、少なくとも１つの基準点および／または注入点に少なくとも部分的に基づいて、キャンセル信号を生成することを含み得る。一態様では、例えば、キャンセル信号生成コンポーネント１２６は、少なくとも１つの基準点および／または注入点に少なくとも部分的に基づいて、キャンセル信号を生成し得る。キャンセル信号を生成することは、注入点において注入するために、ターゲット干渉信号の反転された位相を有する基準点における信号（例えば、基準点から受信機チェーンを通じてトラバースし得る注入点における信号）からのキャンセル信号を生成する、キャンセル信号生成コンポーネント１２６を含み得る。加えて、例えば、キャンセル信号生成コンポーネント１２６は、注入点において注入するために、ターゲット干渉信号（例えば、基準点から受信機チェーンを通じてトラバースし得る注入点１１４、１２５などにおける干渉信号）と同じまたは少なくとも類似する増幅も有する、アナログ信号としてのキャンセル信号１１９を生成し得る。例えば、キャンセル信号生成コンポーネント１２６は、１つ以上の基準点（例えば、基準点１１０、１１１、１１２、１１３）からタップされた少なくとも１つの信号（例えば、信号１１５、１１６、１１７、１１８のうちの少なくとも１つ）のサンプルを取得することに少なくとも部分的に基づいてキャンセル信号１１９を生成し得、１つ以上の基準点および／または注入点間のＲＦパス不整合を整合するために歪みを再構成し、再構成された信号の位相を反転し、注入点においてターゲット干渉信号をキャンセルするために１つ以上の注入点（例えば、選択された注入点）に信号を注入する。この点に関して、少なくとも１つの送信機チェーンによって生成され得る任意の帯域外（ＯＯＢ）および／または相互変調（ＩＭＤ）干渉は、少なくとも１つの受信機チェーンにおいて（例えば、注入点１１４、１２５のうちの少なくとも１つにおいて）観測されたＯＯＢおよび／またはＩＭＤ干渉を効率的にキャンセルするために、生成されるキャンセル信号１１９に含まれ得る。
【００４１】
[0045]  この点に関して、方法２００はまた、ブロック２１８において、共用アンテナの送信機チェーンにおいて生成された信号からの干渉をキャンセルするために、共用アンテナの受信機チェーンにおいてキャンセル信号を注入することを含み得る。一態様では、例えば、キャンセル信号インジェクタコンポーネント１２０は、送信機チェーンにおいて生成された信号からの干渉をキャンセルするために、共用アンテナの受信機チェーンにおいてキャンセル信号１１９を注入する。そのため、キャンセル信号インジェクタコンポーネント１２０は、限定はされないが、ＬＮＡ１４１の入力におけるＬＮＡ１４１とフィルタ１４４との間の注入点１１４、ＬＮＡ１４１の出力における注入点１２５などのような、受信機チェーンにおける１つ以上の注入点において、キャンセル信号１１９を注入し得る。注入点１１４、１２５がＬＮＡ１４１などの１つ以上の段も含み得ることが認識されるだろう。例えば、キャンセル信号インジェクタコンポーネント１２０は、キャンセル信号１１９をＬＮＡ１４１の入力に供給（feed）し、キャンセル信号１１９をＬＮＡ１４１の入力に供給されている別の信号（例えば、共用アンテナ１０２を介して受信されている信号）などに追加し得る。説明されるように、一例では、基準／注入点選択コンポーネント１２４は、上記のブロック２０６に関して説明されるように、キャンセル信号１１９を注入するための注入点を選択し得る。
【００４２】
[0046]  図３は、キャンセル信号を生成および／または注入するための複数の基準点および／または注入点のうちの１つ以上を選択するための例となる方法３００を図示する。この例となる方法３００では、キャンセル信号は、信号が基準点と注入点のペアに関連する整合コンポーネントを有するかどうかを決定することに少なくとも部分的に基づいて、選択され得る。
【００４３】
[0047]方法３００は、ブロック２０２において、共用アンテナの送信機チェーン中の複数の基準点において複数の信号を取得することを含む。一態様では、例えば、信号取得コンポーネント１２２は、上述されるような、共用アンテナ１０２の送信機チェーンにおいて、複数の基準点での複数の信号を取得し得る。方法３００は、ブロック３０２において、複数の基準点の各々および／または少なくとも１つの注入点のための複数の整合コンポーネントを決定することを任意で含み得る。一態様では、例えば、基準／注入点選択コンポーネント１２４は、複数の基準点の各々および／または少なくとも１つの注入点（例えば、基準点と注入点のペア）のための複数の整合コンポーネントを決定し得る。例えば、複数の基準点の各々／注入点のペアは、基準点と注入点との間のＲＦパス不整合を整合するために使用され得る、デバイス中の他の送信機／受信機チェーンからのいくつかの整合コンポーネント（例えば、整合フィルタ）を有し得る。
【００４４】
[0048]  方法３００はまた、ブロック３０４において、複数の整合コンポーネントのうちの、ある特定の対応する整合コンポーネントを有する複数の信号のサブセットを決定することを任意で含み得、それは、複数の信号のサブセット間で共用され得る。一態様では、例えば、基準／注入点選択コンポーネント１２４は、複数の整合コンポーネントのうちのある特定の対応する整合コンポーネントを有する、複数の信号のサブセット（例えば、信号１１５、１１６、１１７、１１８のサブセット）を決定し得、それは、複数の信号のサブセット間で共用され得る。例えば、基準／注入点選択コンポーネント１２４は、送信機および／または受信機チェーンなどにおいて類似するコンポーネントを含む、ＲＦフロントエンド１０４の受信機チェーンにおいて受信される信号と同じまたは異なる帯域グループと類似する信号特性を有する複数の信号のサブセットを決定し得る。
【００４５】
[0049]  方法３００はまた、ブロック３０６において、キャンセル信号を生成するために、基準点のサブセットのうちの少なくとも１つの基準点および／または少なくとも１つの注入点を、基準点のサブセットの各々および／または少なくとも１つの注入点に関連する予期されるアナログ干渉キャンセルメトリックに少なくとも部分的に基づいて選択することを任意で含み得る。一態様では、例えば、基準／注入点選択コンポーネント１２４は、キャンセル信号１１９を生成するために、基準点のサブセットのうちの少なくとも１つの基準点および／または少なくとも１つの注入点を、基準点のサブセットの各々および／または少なくとも１つの注入点に関連する予期されるアナログ干渉キャンセルメトリックに少なくとも部分的に基づいて選択し得る。
【００４６】
[0050]  一例では、ブロック３０６において少なくとも１つの基準点および／または注入点を選択することは、ブロック３１０において、最も高い予期されるアナログ干渉キャンセル利得を有すると決定された少なくとも１つの基準点および／または注入点を任意で含み得る。一態様では、例えば、基準／注入点選択コンポーネント１２４は、説明されるような、最も高い予期されるアナログ干渉キャンセル利得を有すると決定された少なくとも１つの基準点および／または注入点（例えば、基準点および注入点のペア）を選択し得る。別の例では、ブロック３０６において少なくとも１つの信号を選択することはまた、ブロック３１２において、最も低い予期されるアナログ干渉キャンセルコストを有すると決定された少なくとも１つの基準点および／または注入点を選択することを任意で含み得る。一態様では、例えば、基準／注入点選択コンポーネント１２４は、説明されるような、最も低い予期されるアナログ干渉キャンセルコストを有すると決定された少なくとも１つの基準点および／または注入点（例えば、基準点および注入点のペア）を選択し得る。加えて、説明されるように、基準／注入点選択コンポーネント１２４は、説明されるような、予期されるアナログ干渉キャンセル利得および予期されるアナログ干渉キャンセルコストなどの機能として、少なくとも１つの基準点および／または注入点を選択し得る。
【００４７】
[0051]  方法３００はまた、ブロック２１４において、少なくとも１つの基準点および／または注入点に少なくとも部分的に基づいてキャンセル信号を生成することを含み得る。一態様では、例えば、キャンセル信号生成コンポーネント１２６は、説明されるような、少なくとも１つの基準点および／または注入点（例えば、基準点１１０、１１１、１１２、１１３、注入点１１４、１２５などのうちの少なくとも１つ）に少なくとも部分的に基づいてキャンセル信号１１９を生成し得る。方法３００はまた、少なくともブロック２１８において、共用アンテナの送信機チェーンにおいて生成された信号からの干渉をキャンセルするために、共用アンテナの受信機チェーンにおいてキャンセル信号を注入することを含み得る。一態様では、例えば、キャンセル信号インジェクタコンポーネント１２０は、説明されるように、送信機チェーンにおいて生成された信号からの干渉をキャンセルするために、共用アンテナの受信機チェーンにおいて（例えば、ＬＮＡ１４１の入力に）キャンセル信号１１９を注入する。
【００４８】
[0052]  図４−７は、上述されるような、送信機チェーンと受信機チェーンとの間の可能性のある干渉を有する、例となる共用アンテナ１０２およびＲＦフロントエンド１０４を例示する。図４−７は、ブロック２０６（図２）および／またはブロック３０６（図３）に関して上述されるような、キャンセル信号１１９を生成するための１つ以上の基準点１１０、１１１、１１３からの信号を選択することに関する例を提供する。概して、ＬＴＥにおける帯域５（Ｂ５）および帯域３（Ｂ３）の通信に関連する干渉の観点から説明されるが、本明細書で説明される類似するコンセプトおよび機能は、ＲＦフロントエンド１０４および共用アンテナ１０２による通信で利用されるいずれの周波数帯域にも実際には適用され得ることが認識されるだろう。
【００４９】
[0053]  図４を参照すると、ＲＦフロントエンド１０４は、ＲＦフロントエンド１０４の受信機チェーンに注入するキャンセル信号を生成するために、干渉信号をタップするための複数の可能性のある基準点１ １１０、２ １１１、および３ １１３を含むことが描かれている。ＲＦフロントエンド１０４は、ダイプレクサ１０５、スイッチ１４２、１４２−ｂ、フィルタ１４４、１４４−ｂ、ＬＮＡ１４１（例えば、ｑコンポーネントＬＮＡ（ｑ ＬＮＡ）およびｉコンポーネントＬＮＡ（ｉ ＬＮＡ））、ＰＡ１４５、１４５−ｂ、分布増幅器（ＤＡ：distributed amplifiers）４０２、４０２−ｂなどを含み得る。ダイプレクサ１０５は、スイッチ１４２、１４２−ｂ、および低帯域（ＬＢ）または中帯域（ＭＢ）からの通信をダイプレックス（diplex）し得る。描かれる例では、第１の送信機チェーンのコンポーネントは、スイッチ１４２、フィルタ１４４、ＰＡ１４５、およびＤＡ４０２を含み得、８２４−８４９メガヘルツ（ＭＨｚ）周辺の周波数帯域で送信するＬＥＴにおけるＢ５に関連し得る。第２の送信機チェーンは、スイッチ１４２−ｂ、フィルタ１４４−ｂ、ＰＡ１４５−ｂ、およびＤＡ４０２−ｂを含み得、１７１０−１７８５ＭＨｚ周辺の周波数帯域で送信するＬＴＥにおけるＢ３に関連し得る。加えて、受信機チェーンのコンポーネントは、スイッチ１４２、フィルタ１４４、およびＬＮＡ１４１を含み得、８６９−８９４ＭＨｚ周辺の周波数帯域で受信するＢＲに関連し得る。フィルタ１４４は、第１の送信機チェーンからのＢ５送信と、受信機チェーンからのＢ５受信とをフィルタリングするために使用され得る。フィルタ１４４−ｂは、第２の送信機チェーンからのＢ３送信と、別の受信機チェーン（図示されていないが、存在する場合）からのＢ３受信とをフィルタリングするために使用され得る。
【００５０】
[0054]  描かれる例では、第２の送信機チェーン（攻撃側ＲＦパス）上のＢ３送信は、受信機チェーン（被害側ＲＦパス）上のＢ５受信と干渉し得る様々な信号を作成し得る。例えば、ＰＡ１４５−ｂは、共用アンテナ１０２を介する送信のための信号４１０を生成し得、それは、第２の送信機チェーンのコンポーネントをトラバースし得、共用アンテナ１０２で受信される信号４１６と干渉し得、ここで、干渉は、（例えば、Ｂ３送信とＢ５受信とが異なる帯域上にある際に）ダイプレクサ１０５において発生し得る。加えて、第１の送信機チェーン上のＢ５送信（別の攻撃側ＲＦパス）は、共用アンテナ１０２を介する送信のための信号４１１を作成し得る。信号４１１を生成することの一部として、ＰＡ１４５は、共用アンテナ１０２で受信された信号４１６との相互変調（ＩＭＤ：inter-modulation）干渉を引き起こし得る信号４１２を生成し得る。これは、信号４１０と比較すると、信号４１２のより低いパスロスに基づく支配的干渉（dominant interference）であり得る。信号４１２は、Ｂ５受信および送信をフィルタリングするフィルタ１４４（例えば、デュプレクサ）において信号４１６と干渉し得る。加えて、例えば、ＤＡ４０２−ｂからの信号４１３がＰＡ１４５で受信され得、信号４１２における追加の干渉を引き起こし得る。同様に、例えば、ＰＡ１４５−ｂからの信号４１４は、信号４１２に干渉を追加する付加雑音（additive noise）を引き起こし得る。受信機チェーン上で受信される信号４１６へのこれらの様々な干渉のソースは、本明細書で説明されるような、１つ以上の基準点に基づくアナログ干渉キャンセルを使用してキャンセルされ得る。
【００５１】
[0055]  例えば、ＰＡ１４５の後の基準点３ １１３では、信号４１１から生成され得る最も強いＩＭＤ信号４１２が観測される。４３０で示されるように、信号４１２は、信号４１６の受信電力（Ｐｒｘ）よりも高いＩＭＤ電力（Ｐｉｍｄ）を有し、信号４１１もまた、Ｐｒｘよりも高い送信電力（Ｐｔｘ）を有する。ダイプレクサ１０５とスイッチ１４２との間の基準点２ １１１、およびフィルタ１４４とＬＮＡ１４１との間の基準点４ １１４において、ＩＭＤ信号４１２は、デュプレクサのフィルタ１４４部分でのＢ５送信フィルタ拒否（B5 transmit filter rejection）に起因して、より低い電力、グループ遅延、および歪みを有し得る。基準点２ １１１および基準点４ １１４において、それぞれ４３２および４３４で示されるように、Ｐｒｘは、より高いＰｉｍｄを有し得る。これは、Ｐｒｘ上のさらなる拒否を提供するＢ５ｔｘフィルタ１４４−ｂに起因し得、それは、（例えば、Ｐｒｘを通じたＰｉｍｄの電力比がより高いなどの）他の場合よりも良いキャンセル信号品質を作り出す。しかしながら、基準点４ １１４において、４３４で示されるように、Ｐｔｘは、フィルタ１４４によるＢ５送信および受信のフィルタリングに起因して、Ｐｒｘと同じかまたは同様のものである。
【００５２】
[0056]  追加の可能性のある基準点は、ダイプレクサ１０５とスイッチ１４２−ｂとの間の基準点１１１−ｂ、およびＰＡ１４５−ｂの後の基準点１１３−ｂを含み得、それらは、Ｂ３送信信号４１０と関連する。キャンセル信号をそれに基づいて生成するための複数の基準点のうちの１つ以上の選択は、被害側受信信号４１２と攻撃側干渉信号（例えば、信号４１０、４１１、４１２、４１３、４１４など）との間の十分な信号電力レベル差を有する基準点を選択すること、基準点と注入点（例えば、注入点４ １１４）との間のグループ遅延整合を有する基準点を選択すること、および／または同様のものを含み得る。
【００５３】
[0057]  キャンセル信号を生成するために、共用アンテナ１０２とダイプレクサ１０５との間の基準点１ １１０を選択することは、攻撃側信号の可能性のある帯域（例えば、Ｂ３およびＢ５）をカバーし得、そのため、組み合わせられた攻撃側信号（例えば、Ｂ３およびＢ５送信機信号４１０および４１１）からの干渉をキャンセルするために使用され得るが、基準点１ １１０に基づいて生成されたキャンセル信号を介して効率的なアナログ干渉キャンセル信号を提供するために、ダイプレクサ１０５における信号と所望の受信信号４１６との間のコンポーネントを整合するために、整合がダイプレクサ１０５において（例えば、図示されないが、追加のバンドパスフィルタを介して）必要とされ得る。キャンセル信号１１９を生成するために基準点１ １１０を選択するＲＦフロントエンド１０４の例が、図５で示される。
【００５４】
[0058]  図５は、基準点１ １１０における信号に基づいてキャンセルを行うときに、受信機信号４１６のキャンセルを避けるために、所望の受信機信号４１６とＩＭＤ信号４１２との間の分離を提供するための、共用アンテナ１０２とダイプレクサ１０５との間の方向性結合器５０２を有するＲＦフロントエンド１０４を例示する。例えば、５０４で示されるように、Ｂ５送信機信号４１１とＢ５受信機信号４１６との間の分離を提供するために、方向性結合器５０２は、４３２からのＰｒｘおよびＰｉｍｄをより低くし得る。加えて、ＬＢ整合フィルタ５０６とＢ５受信機整合フィルタが提供される。例えば、ＬＢ整合フィルタ５０６は、任意の他の送信機帯域信号（例えば、図４における信号４１０）を拒否し得、Ｂ５受信機整合フィルタ５０８は、組み合わせられた信号４１１と４１６のためのグループ遅延補償を提供し得、受信機信号４１６と同じ帯域（この例におけるＢ５）における送信機信号４１１を拒否し得る。結果として生じるフィルタされた信号は、ＬＮＡ１４１に注入するためのアナログ最小平均平方（ＬＭＳ：least-mean-squared）フィルタ５１０に提供され得る。さらに、アナログＬＭＳフィルタ５１０は、（例えば、基準点１ １１０の選択を示すために）キャンセル信号インジェクタコンポーネント１２０からの入力を受信し得る。この例では、ＩＭＡ信号４１２の支配的干渉パスは、基準点３ １１３から基準点２ １１１に至り注入点４ １１に至る。ＬＮＡ１４１に入る注入のための組み合わせられた信号のパスは、基準点３ １１３から基準点２ １１１に至り基準点１ １１０に至り方向性結合器５０４に入り基準点５ ５２０に至りフィルタ５０６、５０８、５１０を通り注入点４ １１４に至る。
【００５５】
[0059]  この例では、攻撃側信号（例えば、Ｂ５送信機信号４１１）の品質は、Ｂ５デュプレクサ（例えば、スイッチ１４２および／またはフィルタ１４４）に起因して、基準点１ １１０で低下し得る。加えて、フィルタ不整合（例えば、Ｂ５デュプレクサ（例えば、スイッチ１４２および／またはフィルタ１４４）、Ｂ５受信機フィルタ５０８、ダイプレクサ１０５、および／またはＬＢフィルタ５０６間）は、ダイプレクサ１０５が追加のＬＢフィルタ５０６を通じてさらに整合される際に、他の基準点でより高くなり得る。フィルタ５０６および５０８は、ダイプレクサ１０５およびＢ５デュプレクサ１４４のＲｘフィルタ部分を整合するための整合フィルタ（整合コンポーネント）である。フィルタ５１０は、説明されるように、相回転、利得差などのような残余不整合を最小化するために、相反転キャンセル信号を提供するために、さらなる適合を提供し得る。フィルタ５１０からの信号５１２は、基準点４ １１４（４３４で示されるＰｉｍｄ）におけるＰｉｍｄと同様の（例えば、同じ）量のＰｉｍｄの電力を有するが相反転されるキャンセル信号を含み得る。そのため、４３４で示されるＰｉｍｄは、フィルタ５１０からのキャンセル信号５１２によってキャンセルされ得る。フィルタ５１０からのキャンセル信号５１２は、所望の信号電力Ｐｒｘを含み得、それは、４３４で示されるようなＰｒｘの品質を低下し得るが、キャンセル信号５１２からのＰｒｘの量は、４３４で示されるＰｒｘへの影響を最小限にするくらい十分に小さいものであり得る。加えて、例えば、方向性結合器５０２は、Ｐｍｉｎｄに関する拒否の量（the amount of rejection）よりも、Ｐｒｘに関してより高い拒否を提供し、それは、方向性結合器５０２からの信号出力においてＰｍｉｎｄをより高くする。
【００５６】
[0060]  図４に戻って、キャンセル信号を生成するためにダイプレクサ１０５とスイッチ１４２（または１４２−ｂ）との間の基準点２ １１１（または１１１−ｂ）を選択することは、（例えば、第１の送信機チェーンまたは第２の送信機チェーンに関連付けられた）攻撃側信号の帯域グループをカバーし得る。そのため、この基準点からの信号は、攻撃側信号が受信機信号（例えば、信号４１１および４１６など）と同じ帯域にある場合、（ダイプレクサ整合なしで）攻撃側信号からの干渉をキャンセルするために使用され得る。しかしながら、攻撃側信号が異なる帯域（例えば、信号４１０）にある場合、基準点２ １１１（または１１１−ｂ）からの信号は、（例えば、ダイプレクサ１０５における追加のバンドパスフィルタなしで）十分な攻撃側信号品質を反映しない可能性があり、そのため、受信機信号４１６からの干渉を効率的にキャンセルするために、表されるキャンセル信号（representative cancelation signal）を作成することを促進しない可能性がある。キャンセル信号１１９を生成するために基準点２ １１１を選択するためのＲＦフロントエンド１０４の例が、図６で示される。
【００５７】
[0061]  図６は、基準点２ １１１での信号に基づいてキャンセルを行うときに、受信機信号４１６のキャンセルを防ぐように、所望の受信機信号４１６とＩＭＤ信号４１２との間の分離を提供するために、ダイプレクサ１０５とデュプレクサ（例えば、スイッチ１４２）との間の方向性結合器６０２を有するＲＦフロントエンド１０４を例示する。例えば、方向性結合器６０２は、６０４で示されるように、Ｂ５送信機信号４１１とＢ５受信機信号４１６の間の分離を提供するために、４３２からのＰｒｘおよびＰｉｍｄをより低くし得る。加えて、Ｂ５受信機整合フィルタ５０８は、組み合わせられた信号４１１と４１６とのためのグループ遅延補償を提供し、受信機信号４１６と同じ帯域中の送信機信号４１１（この例ではＢ５）を拒否し得る。結果として生じるフィルタされた信号は、ＬＮＡ１４１に注入するためのアナログＬＭＳフィルタ５１０に提供され得る。さらに、アナログＬＭＳフィルタ５１０は、（例えば、基準点２ １１１の選択を示すために）キャンセル信号インジェクタコンポーネント１２０からの入力を受信し得る。この例では、ＩＭＡ信号４１２の支配的干渉のパスは、基準点３ １１３から基準点２ １１１に至り注入点４ １１４に至る。ＬＮＡ１４１に入る注入のための組み合わせられた信号のパスは、基準点３ １１３から基準点２ １１１に至り基準点方向性結合器６０４に入り基準点６ ６２０に至りフィルタ５０８および５１０を通り注入点４ １１４に至る。この例では、攻撃側信号（例えば、Ｂ５送信機信号４１１）の品質は、攻撃側信号が受信機信号４１６と同じ帯域にある基準点１ １１０と比較すると改善され得る。加えて、基準点２ １１１は、信号４１１に関連した帯域グループに適用するキャンセル信号を生成するために使用され得る。
【００５８】
[0062]  図４に戻って参照すると、キャンセル信号を生成するためにＰＡ１４５（または１４５−ｂ）の後の基準点３ １１３（または１１３−ｂ）を選択することは、同じ帯域グループ内の攻撃側信号と受信機信号と（例えば、Ｂ５送信機信号４１１とＢ５受信機信号４１６と）の間の分離を提供し得、そのため、受信機信号と同じ帯域中の攻撃側信号からの干渉をキャンセルするために使用され得る。しかしながら、基準点３ １１３（または１１３−ｂ）は、ＰＡ１４５（またはＰＡ１４５−ｂ）からの出力のみをカバーし得（例えば、ダイプレクサ１０５における追加のバンドパスフィルタなしで）、ＰＡ１４５（またはＰＡ１４５−ｂ）の後の送信パス歪みを反映しない可能性がある。そのため、この基準点１１３（または１１３−ｂ）を使用するキャンセル能力は、パス歪みモデリングの正確性に依存し得る。キャンセル信号１１９を生成するために基準点３ １１３を選択するためのＲＦフロントエンド１０４の例が、図７で示される。
【００５９】
[0063]  図７は、基準点３ １１３が選択されるＲＦフロントエンド１０４を例示し、対応する信号は、受信機信号４１６から攻撃側送信機信号４１１を分離するための整合フィルタ（例えば、デュプレクサ）７０２に提供され得る。結果として生じるフィルタされた信号は、ＬＮＡ１４１に注入するためのアナログＬＭＳフィルタ５１０に提供され得る。さらに、アナログＬＭＳフィルタ５１０は、（例えば、基準点３ １１３の選択を示すために）キャンセル信号インジェクタコンポーネント１２０からの入力を受信し得る。この例では、ＩＭＡ信号４１２の支配的干渉のパスは、基準点３ １１３から基準点２ １１１に至り注入点４ １１４に至る。ＬＮＡ１４１に入る注入のための組み込まれた信号のパスは、基準点３ １１３からフィルタ７０２および５１０を通り注入点４ １１４に至る。この例では、攻撃側信号（例えば、Ｂ５送信機信号４１１）の品質は、ＰＡ１４５（または１４５−ｂ）の出力が攻撃側信号（例えば、Ｂ５送信機信号４１１）と受信機信号４１６との間の改善された分離を提供し得る際に、攻撃側信号が受信機信号４１６と同じ帯域中にある基準点１ １１０および基準点２ １１１と比較すると、改善され得るが、複数の基準点は、他の帯域からの信号をキャンセルするために、ＰＡ１４５（または１４５−ｂ）ごとに必要とされ得る。フィルタ７０２は、Ｂ５デュプレクサ１４４をマッチさせるための整合フィルタ（整合コンポーネント）であり得る。
【００６０】
[0064]  説明されるように、基準点１１０、１１１、１１２、および／または１１３の各々は、送信機信号に干渉する攻撃側のソースに基づいて、異なるシナリオにおいて異なる利益を有し得る。従って、図１−３に関して説明されるように、基準／注入点選択コンポーネント１２４は、基準点の各々についての予期されるアナログ干渉キャンセルコストまたは利得を決定すること、および最も高い予期されるアナログ干渉キャンセル利得または最も低い予期されるアナログ干渉キャンセルコストを有する基準点を選択することに基づいて、キャンセル信号を生成する際に、どの基準点１１０、１１１、１１２、および／または１１３（例えば、および／または注入点１１４、１２５）を利用するかを決定し得る。加えて、一例では、基準点１１０、１１１、１１２、および／または１１３の各々（例えば、および／または注入点１１４、１２５に基づく）における信号のための基準／注入点選択コンポーネント１２４は、整合コンポーネントを決定し得、対応する信号が整合コンポーネントの閾値数を満たす基準点１１０、１１１、１１２、および／または１１３のサブセットを決定し得る。基準／注入点選択コンポーネント１２４は、キャンセル信号を生成するための１つ以上の基準点１１０、１１１、１１２、および／または１１３（および／または注入点１１４、１２５）を、最も高い予期されるアナログ干渉キャンセル利得または最も低い予期されるアナログ干渉キャンセルコストを有するサブセットにおいて基準点を決定することに少なくとも部分的に基づいて、適宜選択し得る。
【００６１】
[0065]  電気通信システムのいくつかの態様は、Ｗ−ＣＤＭＡ（登録商標）システムに関連して提示されている。当業者は、本明細書で説明される様々な態様が他の電気通信システム、ネットワークアーキテクチャ、および通信規格に拡大され得ることを容易に認識するであろう。
【００６２】
[0066]  例として、本明細書で説明される様々な態様は、Ｗ−ＣＤＭＡ、ＴＤ−ＳＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ＋）、およびＴＤ−ＣＤＭＡのような、他のＵＭＴＳシステムに拡張され得る。様々な態様はまた、ロングタームエボリューション（ＬＴＥ）（ＦＤＤ、ＴＤＤ、または両方のモードにおける）、ＬＴＥアドバンスト（ＬＴＥ−Ａ（ＦＤＤ、ＴＤＤ、または両方のモードにおける）、ＣＤＭＡ２０００、エボリューションデータオプティマイズド（ＥＶ−ＤＯ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、超広帯域（ＵＷＢ）、Ｂｌｕｅｔｏｏｔｈ（登録商標）、および／または他の適切なシステムを用いるシステムに拡張され得る。採用される実際の電気通信規格、ネットワークアーキテクチャ、および／または通信規格は、システムに課される全体の設計制約および特定のアプリケーションに依存するだろう。
【００６３】
[0067]  本開示の様々な態様に従って、エレメントまたはエレメントの任意の一部、あるいはエレメントの任意の組み合わせは、１つ以上のプロセッサを含む「処理システム」を用いて実装され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブルロジックデバイス（ＰＬＤ）、ステートマシン、ゲートロジック、ディスクリートハードウェア回路、および本明細書で説明される様々な機能を行うように構成された他の適したハードウェアを含む。処理システム中の１つ以上のプロセッサは、ソフトウェアを実行し得る。ソフトウェアは、ソフトウェア、ファームウェア、ミドルウェア、マイクロコード、ハードウェア記述言語と呼ばれるか、または別の方法で呼ばれるかに関わらず、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されるものとする。ソフトウェアは、コンピュータ可読媒体に存在し得る。コンピュータ可読媒体は、非一時的なコンピュータ可読媒体であり得る。非一時的なコンピュータ可読媒体は、例として、コンピュータによってアクセスされ、読取られ得るソフトウェアおよび／または命令を記憶するための、磁気記憶デバイス（例えば、ハードディスク、フロッピーディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスク、および任意の他の適切な媒体を含む。コンピュータ可読媒体は、処理システム内に、処理システムの外部に存在し、または処理システムを含む複数のエンティティにわたって分散され得る。コンピュータ可読媒体は、コンピュータプログラム製品において具現化され得る。例として、コンピュータプログラム製品は、パッケージング材料の中のコンピュータ可読媒体を含み得る。当業者は、システム全体に課される全体の設計制約および特定のアプリケーションに依存して、本明細書で説明される機能をどのように実施するのが最善かを認識するだろう。
【００６４】
[0068]  開示された方法におけるステップの特定の順序または階層は、例示的な処理の例示であることが理解されるべきである。設計の選好に基づいて、本明細書で説明される方法または方法論におけるステップの特定の順序または階層が並べ替えられ得ることが理解される。添付の方法の請求項は、本明細書に特に記載されない限り、サンプルの順序において、様々なステップの要素を提示し、提示された特定の順序または階層に限定されることが意図されるものではない。
【００６５】
[0069]  先の説明は、いずれの当業者も、本明細書に説明された様々な態様を実施することを可能にするように提供される。これらの態様への様々な修正は、当業者に対して容易に明らかとなり、本明細書に定義される一般的な原理は、他の態様に適用され得る。このように、特許請求の範囲は、本明細書に示される態様に限定されることを意図したものではなく、特許請求の範囲の文言と一貫する最大範囲であると認められるべきであり、ここにおいて、単数での要素への言及は、そのように明確に述べられていない限り、「１つおよび１つのみ」ではなく、むしろ「１つ以上」を意味することが意図されている。そうでないことが特に述べられていない限り、「いくつかの」という用語は、１つ以上のものを指している。項目のリスト「のうちの少なくとも１つ」に関する表現は、単一の要素を含む、それらの項目のうちの任意の組み合わせを指す。例として、「ａ、ｂ、またはｃのうちの少なくとも１つ」は、ａ；ｂ；ｃ；ａおよびｂ；ａおよびｃ；ｂおよびｃ；並びにａ、ｂおよびｃをカバーすることを意図する。当業者によって既知のあるいは後に知られることとなる、本明細書で説明される様々な態様の要素の機能的同等物は、参照により本明細書に明確に組み込まれ、特許請求の範囲によって包含されることが意図される。さらに、本明細書で開示されたものはどれも、そのような開示が特許請求の範囲において明確に記載されているかどうかに関わらず、公衆に献呈されることを意図しない。特許請求の範囲のどの要素も、その要素が明確に「〜のための手段」という句を使用して記載されていない限り、または、方法の請求項の場合には、その要素が「〜するためのステップ」という句を使用して記載されていない限り、米国特許法第１１２条６項の規定の下で解釈されるべきではない。
【図１】
2018529282.tif 000003
【図２】
2018529282.tif 000004
【図３】
2018529282.tif 000005
【図４】
2018529282.tif 000006
【図５】
2018529282.tif 000007
【図６】
2018529282.tif 000008
【図７】
2018529282.tif 000009
【国際調査報告】
2018529282.tif 000010
2018529282.tif 000011